(57)【要約】【課題】設計者が考案した新技術又はノウハウに相当する技術を積極的に評価申請することができ、申請事項を漏れなく審査することが可能であり、その結果、有効と判定されれば関係者に通知できるので、申請された技術内容が早期に共有化され、技術の向上と設計品質の向上を達成することができる設計支援システムを提供すること。【解決手段】設計の過程において設計者が考案した新技術又はノウハウに相当する技術を評価のため申請するノウハウ登録申請手段と、申請された新技術又はノウハウを検索し、評価結果を登録するノウハウ検索・判定処理手段と、評価結果を伝える通知処理手段を含んで設計支援システムを構成する。【選択図】図１
2006164130.tif 000002
【特許請求の範囲】
【請求項１】
設計の過程において設計者が考案した新技術又はノウハウに相当する技術を評価のため申請するノウハウ登録申請手段と、申請された新技術又はノウハウを検索し、評価結果を登録するノウハウ検索・判定処理手段と、評価結果を伝える通知処理手段を有することを特徴とする設計支援システム。
【請求項２】
前記ノウハウ登録申請手段において、申請したノウハウの評価時期を指定することを特徴とする請求項１記載の設計支援システム。
【発明の詳細な説明】
【技術分野】
【０００１】
本発明は、コンピュータを用いて製品又は製造装置を設計するための設計支援システムに関する。
【背景技術】
【０００２】
従来の設計支援システムにおいては、次のような機能があった。
（１）設計支援システムにおいては、各設計工程順序の表示とその設計工程内の設計手順の提示、関連する文書の提示、チェック内容の提示等が行われており、設計者は各設計工程においてそれら情報を参照しながら、設計作業の結果として図面及び設計成果に関わる文書の登録を行っていた。又、登録された文書の評価は、他の設計者が設計支援システムのデータベースに登録された文書を検索して有効又は無効であると判断したとき、有効・無効等の定性的な評価、点数又は評価コメントを追記して、その文書の属性として登録していた。
（２）特許文献１の「設計支援装置及び設計支援プログラム」においては、設計評価項目において推奨値と異なる設計値を与えて採用した場合、設計者はその理由を設計シートと呼ばれるフォーマットに記入し、それを過去の実績としてデータベースに登録し、これ以降の設計者が同様の状況に直面したときの重要な判断材料とするという運用が記述されている。
【０００３】
【特許文献１】特許第３２８８６８６号公報
【発明の開示】
【発明が解決しようとする課題】
【０００４】
しかしながら、上記従来例では以下のような欠点があった。
（１）従来の設計支援システムでは、各設計工程において設計作業の結果として図面及び設計成果に関わる文書の登録を行っているが、設計作業者が新しい技術又はノウハウを登録したとき、自ら評価申請する手段がなかった。又、従来の設計支援システムでは登録された文書の評価は第３者が検索して抽出しない限り評価を受けることができず、優れた新技術或はノウハウの再利用及び展開が早期にされず、有効利用されなかった。
（２）特許文献１の「設計支援装置及び設計支援プログラム」においては、設計評価項目において推奨値と異なる設計値を与えて採用した場合、設計者はその理由を設計シートと呼ばれるフォーマットに記入し、それを過去の実績としてデータベースに登録し、これ以降の設計者が同様の状況に直面したときの重要な判断材料とするという運用が記述されている。
【０００５】
しかしながら、これでは他の設計者が設計支援システムで表示される推奨値を利用している限り、推奨値と異なる設計値を利用しても設計上問題がなかったという事実に気が付くことはない。又、推奨値と異なる設計値を採用しても問題がなかったという事実を関係する設計者に能動的に通知する手段もない。
【０００６】
本発明は上記事情に鑑みてなされたものであって、その目的とする処は、設計者が考案した新技術又はノウハウに相当する技術を積極的に評価申請することができ、申請事項を漏れなく審査することが可能であり、その結果、有効と判定されれば関係者に通知できるので、申請された技術内容が早期に共有化され、技術の向上と設計品質の向上を達成することができる設計支援システムを提供することにある。
【課題を解決するための手段】
【０００７】
上記目的を達成するため、請求項１記載の発明は、設計の過程において設計者が考案した新技術又はノウハウに相当する技術を評価のため申請するノウハウ登録申請手段と、申請された新技術又はノウハウを検索し、評価結果を登録するノウハウ検索・判定処理手段と、評価結果を伝える通知処理手段を含んで設計支援システムを構成したことを特徴とする。
【０００８】
請求項２記載の発明は、請求項１記載の発明において、前記ノウハウ登録申請手段において、申請したノウハウの評価時期を指定することを特徴とする。
【発明の効果】
【０００９】
請求項１記載の発明によれば、設計の過程において設計者が考案した新技術又はノウハウに相当する技術を評価のため申請するノウハウ登録申請手段と、申請された新技術又はノウハウを検索し、評価結果を登録するノウハウ検索・判定処理手段、評価結果を伝える通知処理手段を有することを特徴とする設計支援システムを提供することにより、設計者が考案した新技術又はノウハウに相当する技術を積極的に評価申請することができ、申請事項を漏れなく審査することが可能であり、その結果、有効と判定されれば関係者に通知できるので、申請された技術内容が早期に共有化され、技術の向上と設計品質の向上を達成することができる。
【００１０】
請求項２記載の発明よれば、前記ノウハウ登録申請手段において、申請したノウハウの評価時期を指定することを特徴とする設計支援システムを提供することにより、適切な時期に審査を受けることができ、後回しになることを防ぎ、情報の共有化を促進し、技術の向上と設計品質の向上を達成することができる。
【発明を実施するための最良の形態】
【００１１】
以下に本発明の実施の形態を添付図面に基づいて説明する。
【００１２】
図１は本発明の特徴を最も良く表す図面であり、同図において１が設計支援システム、２がメールサーバ、３が端末であり、メールサーバ２、端末３は設計支援システム１と通信線４により接続されている。又、端末３は情報処理装置であり、複数台存在する。
【００１３】
更に、設計支援システム１は、工程フロー処理部１０１、ノウハウ登録処理部１０２、ノウハウ検索・判定処理部１０３、通知処理部１０４、制御処理部１０５、工程フローデータ格納部１０６、ノウハウ申請データ格納部１０７、ノウハウ文書格納部１０８、プロジェクトデータ格納部１０９より構成される。工程フローデータ格納部１０８とプロジェクトデータ格納部１０９のデータは、それぞれプロジェクトデータ編集処理部１１０、工程フロー編集処理部１１１により作成・編集されるものとする。
【００１４】
上記構成において、設計支援システム１は端末３からの処理要求に応じて、予め決められた設計支援に関わる情報処理を行い、その結果を端末３に返すように動作する。設計支援システム１の内部においては、通信線４で接続された端末３からの処理要求を制御処理部１０５が判断し、工程フロー処理部１０１、ノウハウ登録処理部１０２、ノウハウ検索・
判定処理部１０３、通知処理部１０４の起動と前記各処理部からの処理結果を受け取り、その結果を端末３に返す様に動作する。又、通知処理部１０４が電子メール送信を行うときは、通信線４を介してメールサーバ２に電子メールが送信される。
【００１５】
工程フロー処理部１０１は、端末３において指定されたプロジェクトの工程フローを、プロジェクトデータ格納部１０９と工程フローデータ格納部１０６を使って検索し、その結果を制御処理部１０５を介して返す。ノウハウ登録処理部１０２は、端末３からのノウハウ登録申請の処理を行い、ノウハウ申請データ格納部１０７へのノウハウ申請データの登録と、ノウハウ文書格納部１０８への文書の格納を行う。ノウハウ検索・判定処理部１０３は、端末３からの要求に応じてノウハウ文書格納部１０８に格納されたノウハウ文書の検索と、判定結果のノウハウ申請データ格納部１０７への登録を行う。
【００１６】
通知処理部１０４は、ノウハウ検索・判定処理部１０３の処理においてプロジェクト関係者への通知が選択されたとき起動され、該当のプロジェクトのメンバーをプロジェクトデータ格納部１０９から検索し、メールを転送する。メールはメールサーバ２を介して、該当の担当者に転送されるものとする。
【００１７】
図２は端末３において設計支援機能を利用するため、工程フロー処理部１０１が起動されたときの端末３に表示される工程フロー選択画面の一例を示す図である。
【００１８】
図２において、プロジェクト名２０１又はプロジェクト番号２０２を入力し、検索ボタン２０３をクリックすると、工程フロー処理部１０１がプロジェクトデータ格納部１０９から該当の工程フローデータの属性を求め、その工程フローデータ属性に合った工程フローデータを工程フローデータ格納部１０６から検索し、画面に表示する。工程フロー選択画面の＜工程フロー＞部に工程フローが表示される。各工程は四角で表示され、矢印によって接続して表示する。例えば、構想設計２０４という四角が１つの工程を意味し、次の工程は本構想設計２０５となる。
【００１９】
図３は図２の工程２０４をダブルクリックしたときに、工程フロー処理部１０１が端末３に表示する工程実行画面の一例を示す図である。
【００２０】
本実施の形態では、工程実行画面は、図２の工程フロー選択画面の上にオーバーラップして表示されるものとする。図３において、プロジェクト名３０１には選択されているプロジェクト名が表示され、プロジェクト番号３０２には選択されたプロジェクトの管理番号が表示され、工程名３０３には選択された工程名が表示される。工程内容３０６とは選択した工程において実施すべき作業内容が表示され、設計者はこの作業内容を見て、設計作業を行う。
【００２１】
説明画像３０７とは該当の工程の作業内容を画像により表示したものである。作業結果３０８は、該当の工程において実施した作業内容を、設計者が入力する領域であり、一般的に作業状況、作業結果等について記述する。登録資料３０９のグリッド領域は該当の工程を実行した際にその結果を説明する資料、検討資料、新規考案したアイデア又はノウハウ等の内容をまとめた文書を登録する部分である。
【００２２】
タイトル３１０は、登録する文書のタイトルを入力する。文書名３１１は、登録する文書の名前であり、登録する行を選択後、ファイルボタン３１４をクリックするとファイル選択画面が表示されるので、該当のファイルを選択し登録すると、文書名３１１にそのファイル名が表示される。
【００２３】
技術内容３１２は登録した文書の概要を示すコメントであり、設計者がここに入力する。審査申請３１３は、登録する文書が新規考案したアイデア又はノウハウであるとき審査を申請するかどうか、更に審査の時期はいつにするかを選択するドロップダウン・リストボックスと呼ばれる選択機能である。本実施の形態では、選択項目として「なし」、「設計審査時」、「プロジェクト完了時」の３つが可能であるとする。
【００２４】
「なし」の場合は、新規アイデア又はノウハウ以外の情報であることを意味する。「設計審査時」は新規アイデア又はノウハウであるので設計の完了で実施される設計審査時に審査することを意味する。「プロジェクト完了時」は、設計後加工・
組立が行われ該当のプロジェクトが完了したときに審査することを意味する。
【００２５】
登録資料３０９のグリッド領域において、上記のような文書登録をした後、完了ボタン３０５又は登録ボタン３０４をクリックすると、工程フロー処理部１０１は作業結果３０８の情報を工程フローデータ格納部に格納し、更にノウハウ登録処理部１０２を起動する。
【００２６】
図４はノウハウ登録処理部１０２の処理を示すフローチャートの一例である。
【００２７】
図４において、ステップＳ４０１は、図３の登録ボタン３０４、完了ボタン３０５の何れが押されたか判断する処理であり、登録ボタン３０４が押されたときはステップＳ４０５に進む。一方、完了ボタン３０５が押されたときはステップＳ４０２に進む。ステップＳ４０２は判断処理であり、図３の審査申請３０３の選択値が「なし」の時はステップＳ４０５に進み、「設計審査時」又は「プロジェクト完了時」はステップＳ４０３に進む。
【００２８】
ステップＳ４０３は、ノウハウ申請データ作成処理であり、ノウハウ申請データ格納部１０７にノウハウ申請データを作成する。ステップＳ４０５は、ノウハウ文書登録処理であり、ノウハウ文書格納部１０８に文書名３１１で指定された文書を格納する。つまり、完了ボタン３０５が押されて、審査申請データがあるときのみノウハウ申請データ格納部１０７にノウハウ申請データを作成する。
【００２９】
又、審査申請データがあっても、登録ボタン３０４を押しただけでは該当の文書は保存されるが、ノウハウ申請データは作成されないものとする。後で完了ボタン３０５を押したときは該当の文書に対してノウハウ申請データのみを追加作成するものとする。
【００３０】
図５はノウハウ申請データ格納部１０７に格納されるノウハウ申請データの一例を示す図である。
【００３１】
図５において、管理番号５０１はノウハウ申請データを一意に識別するための番号である。タイトル５０２は、図３において入力されたタイトル３１０の値である。文書名５０３は、図３の文書名３１１で入力された値である。技術内容５０４は、図３の技術内容３１２で入力された値である。
【００３２】
設計者５０５は、図３において完了ボタン３０５を押したときに該当の設計支援システムにログインしていた設計者の人名コードである。申請日５０６は、図３の完了ボタン３０５を押したときの日付がセットされる。審査時期５０７は、図３の審査申請３１３で選択された審査時期の値がセットされる。
【００３３】
本実施の形態では、「設計審査時」又は「プロジェクト完了時」となる。判定日５０８は審査の判定を行った日であり、ノウハウ検索・判定処理部１０３により入力される。結果５０９は、申請された文書の内容を判定した結果の値であり、１がノウハウとして有効、０が無効を意味するものとする。結果５０９の値は、ノウハウ検索・判定処理部１０３により入力される。
【００３４】
図６はノウハウ検索・判定処理部が起動されたとき、端末３に表示するノウハウ検索・判定画面の一例を示す図である。
【００３５】
図６において、プロジェクト名６０１、審査申請６０２、担当者名６０３、工程名６０４は、ノウハウ申請データの検索条件である。全ての検索条件はＡＮＤの関係として処理され、検索ボタン６０５を押したときノウハウ申請データ格納部１０７内のノウハウ申請データの検索が実施される。プロジェクト名６０１は、任意のプロジェクト名を入力可能である。
【００３６】
審査申請は、図３の審査申請３１３と同じ選択項目を有するドロップダウン・リストボックスであり、本実施の形態では、「設計審査時」、「プロジェクト完了時」、「なし」が選択可能である。担当者名６０３は、設計担当者の名前を選択できるドロップダウン・リストボックスである。工程名６０４は、登録済みの工程名を選択できるドロップダウン・リストボックスである。前記検索条件を設定して検索ボタン６０５を押すと、ノウハウ申請データ格納部１０７に対して検索が実施され、検索条件にあったノウハウ申請データが図６の検索結果領域に表示される。
【００３７】
検索結果領域において、タイトル６０７は、ノウハウ申請データのタイトル５０２の値である。文書名６０８は、新技術又はノウハウ情報を記した文書名であり、文書名５０３の値である。該当の文書名をダブルクリックすると、その文書が画面上に表示されるものとする。技術内容６０９は申請者が登録時に入力したコメントであり、技術内容５０４の値である。審査申請６１０は、申請者が登録時に選択した審査申請内容であり、審査時期５０７の値である。審査結果６１１は、ノウハウ審査を行う担当者が操作可能な列であり、申請されたノウハウ情報の審査結果をドロップダウン・リストボックスから選択する。
【００３８】
本実施の形態では、「ノウハウ」、「無効」の２種類が選択可能とする。「ノウハウ」は高度な技術内容であり、ノウハウとして有効であることを意味する。「無効」は、申請された内容がノウハウとは言えないものであることを意味する。通知６１２は、ノウハウ審査を行う担当者が操作可能な列であり、審査結果を通知するかどうかをドロップダウン・リストボックスから選択する。
【００３９】
本実施の形態では、「本人」、「プロジェクト」、「しない」の３種類が選択可能であるとする。ここで、「本人」とは申請者自身に判定結果を通知することを意味し、「プロジェクト」は該当のプロジェクト関係者に通知することを意味し、「しない」は通知しないことを意味する。通知６１２を設定して登録通知ボタン６０６を押すと更新されたノウハウ申請データがノウハウ申請データ格納部１０７に保存され、通知処理部１０４が起動され、指定された通知先に予め決められたメッセージが通知されるものとする。
【００４０】
プロジェクトデータ格納部１０９は、各プロジェクトの属性情報と、各プロジェクト別に担当者の人名コード、名前、メールアドレスが格納されているものとする。通知処理部１０４は、ノウハウ検索・判定処理部１０３から起動されると通知６１２が本人である場合は、ノウハウ申請データ格納部１０７から申請者の人名コードを求め、その人名コードのメールアドレスをプロジェクトデータ格納部１０９から求め、予め定義されたノウハウ登録に関する電子メールをメールサーバ２に転送する。
【００４１】
又、通知６１２がプロジェクトである場合は、該当のプロジェクト担当者の人名とメールアドレスを求め、予め定義されたノウハウ登録に関する電子メールをメールサーバ２に転送する。メールサーバー２に格納された電子メールは、各端末３にあるメールソフトにより読み出されるものとする。
【図面の簡単な説明】
【００４２】
【図１】本発明に係るデータ設計支援システムの一実施形態を示す機能ブロック図である。
【図２】工程フロー選択画面の一例を示す図である。
【図３】工程実行画面の一例を示す図である。
【図４】ノウハウ登録処理部の処理手順を示すフローチャートである。
【図５】ノウハウ申請データの一例を示す図である。
【図６】ノウハウ検索・判定画面の一例を示す図である。
【符号の説明】
【００４３】
１    設計支援システム
２    メールサーバ
３    端末
４    通信線
１０１  工程フロー処理部
１０２  ノウハウ登録処理部
１０３  ノウハウ検索・判定処理部
１０４  通知処理部
１０５  制御処理部
１０６  工程フローデータ格納部
１０７  ノウハウ申請データ格納部
１０８  ノウハウ文書格納部
１０９  プロジェクトデータ格納部
１１０  プロジェクトデータ編集部
１１１  工程フロー編集処理部
【図１】
2006164130.tif 000003
【図２】
2006164130.tif 000004
【図３】
2006164130.tif 000005
【図４】
2006164130.tif 000006
【図５】
2006164130.tif 000007
【図６】
2006164130.tif 000008